(57)【要約】      （修正有）【課題】車室内の運転席乗員が、エンジン音あるいは排気音を車両の走行状態に応じて好適に聞くことのできる車両用サウンドシステムを提供する【解決手段】エンジン音が、例えばフロントウインドガラス１２の所定位置Ｔ１に定位され、その導入レベルが、弁部材５２によって調整される。排気音が、例えば車室後部のキックアップ部２３の所定位置Ｔ２に定位されて、その導入レベルが弁部材４５によって調整される。弁部材５２、４５の開度変更を例えばエンジン回転数に応じて行って、エンジン回転数が上昇するのに伴って、車室３内で運転席乗員が聞くエンジン音、排気音が前方から後方へと移動されるようにすることも可能である。【選択図】図２
2018188093.tif 000002
【特許請求の範囲】
【請求項１】
運転者が着座される車室が車体構造体により規定されると共に、車室外にエンジンと該エンジンの排気音を低減させる消音器が配設された車両における車両用サウンドシステムであって、
エンジン音または排気音を、運転席に着座される運転者よりも前方位置において車室内に導入すると共に、その導入レベルを調整可能な第１導入手段と、
エンジン音または排気音を、運転席に着座される運転者よりも後方位置において車室内に導入すると共に、その導入レベルを調整可能な第２導入手段と、
車両の走行状態を検出する走行状態検出手段と、
前記走行状態検出手段で検出された走行状態に応じて、前記第１導入手段からの導入レベルと前記第２導入手段からの導入レベルとを変更する導入レベル制御手段と、
を備えていることを特徴とする車両用サウンドシステム。
【請求項２】
請求項１において、
前記走行状態検出手段が、エンジン回転数を検出するものとされ、
前記導入レベル制御手段は、エンジン回転数の上昇に応じて、車室内で聞こえるエンジン音または排気音の位置が前方から後方へと移行されるように、前記第１導入手段からの導入レベルと前記第２導入手段からの導入レベルとを制御する、
ことを特徴とする車両用サウンドシステム。
【請求項３】
請求項２において、
エンジン回転数が第１所定回転数よりも低い回転数域において、前記導入レベル制御手段は、前記第１導入手段からの導入レベルが大きくなるように、かつ前記第２導入手段からの導入レベルが小さくなるように制御し、
エンジン回転数が該第１所定回転数よりも高回転に設定された第２所定回転数よりも大きい高回転域において、前記導入レベル制御手段は、前記第１導入手段からの導入レベルが小さくなるように、かつ前記第２導入手段からの導入レベルが大きくなるように制御する、
ことを特徴とする車両用サウンドシステム。
【請求項４】
請求項１ないし請求項３のいずれか１項において、
エンジン音または排気音を、前記第１導入手段による導入位置と前記第２導入手段による導入位置との間において車室内に導入する共に、その導入レベルを調整可能な第３導入手段をさらに備え、
前記導入レベル制御手段が、前記第３導入手段をも制御する、
ことを特徴とする車両用サウンドシステム。
【請求項５】
請求項４において、
前記走行状態検出手段が、エンジン回転数を検出するものとされ、
前記導入レベル制御手段は、エンジン回転数の上昇に応じて、車室内で聞こえるエンジン音または排気音の位置が前方から後方へと移行されるように、前記第１導入手段からの導入レベルと前記第２導入手段からの導入レベルと前記第３導入手段からの導入レベルとを制御する、
ことを特徴とする車両用サウンドシステム。
【請求項６】
請求項５において、
エンジン回転数が第１所定回転数よりも低い回転数域において、前記導入レベル制御手段は、前記第１導入手段からの導入レベルが大きくなるように、かつ前記第２導入手段からの導入レベルおよび前記第３導入手段からの導入レベルがそれぞれ小さくなるように制御し、
エンジン回転数が該第１所定回転数よりも高回転に設定された第２所定回転数よりも大きい高回転域において、前記導入レベル制御手段は、前記第１導入手段からの導入レベルおよび前記第３導入手段からの導入レベルがそれぞれ小さくなるように、かつ前記第２導入手段からの導入レベルが大きくなるように制御し、
エンジン回転数が該第１所定回転数と前記第２所定回転数との間となる中回転域において、前記導入レベル制御手段は、前記第１導入手段からの導入レベルおよび前記第２導入手段からの導入レベルがそれぞれ小さくなるように、かつ前記第３導入手段からの導入レベルが大きくなるように制御する、
ことを特徴とする車両用サウンドシステム。
【請求項７】
請求項１ないし請求項６のいずれか１項において、
前記第１導入手段からはエンジン音が導入され、
前記第２導入手段からは排気音が導入される、
ことを特徴とする車両用サウンドシステム。
【請求項８】
請求項７において、
車室前方に前記エンジンが配設され、
車室後方に前記消音器が配設されている、
ことを特徴とする車両用サウンドシステム。
【請求項９】
請求項４ないし請求項６のいずれか１項において、
前記第３導入手段は、フロアパネルに形成されたトンネル部内の空間を経由して伝達されるエンジン音または排気音を車室内に導入する、ことを特徴とする車両用サウンドシステム。
【発明の詳細な説明】
【技術分野】
【０００１】
本発明は、車両用サウンドシステムに関するものである。
【背景技術】
【０００２】
車両においては、車室内にオーディオ音を流すオーディオ装置が装備されていることが一般的となっている。特許文献１、特許文献２には、オーディオ音が乗員にとって車室内の所定位置から聞こえるようにするために、オーディオ音の定位を行うものが開示されている。
【先行技術文献】
【特許文献】
【０００３】
【特許文献１】特許第２７７６０９２号公報
【特許文献２】特開平５−８５２８８号公報
【発明の概要】
【発明が解決しようとする課題】
【０００４】
ところで、例えばスポーツカー等の走行を楽しむことが重視される車両においては、エンジン音や排気音を運転者（運転席乗員）に対して積極的に聞かせる（聴かせる）ことが望まれるものである。すなわち、エンジン音や排気音は、車両状態をよく示すことから、走行を楽しむ場合にエンジン音や排気音というものが非常に重要な要素なる。
【０００５】
しかしながら、エンジン音や排気音が重視される従来の車両は、エンジン音については、エンジンそのものをスムーズに回転されるようにしつつ高回転型とし、さらに吸気音をチューニングする程度のことしか行われていないのが実情である。また、排気音については、排気抵抗を小さくしつつ、マフラー（消音器）等によって排気音のチューニングを行う程度のことした行われていないのが実情である。そして、従来は、エンジン音や排気音を車室内でどのように聞かせるかということまでは意図されていなかった。
【０００６】
本発明は以上のような事情を勘案してなされたもので、その目的は、車室内の運転席乗員が、エンジン音あるいは排気音を車両の走行状態に応じて好適に聞くことのできるようにした車両用サウンドシステムを提供することにある。
【課題を解決するための手段】
【０００７】
前記目的を達成するため、本発明にあっては次のような解決手法を採択してある。すなわち、請求項１に記載のように、
運転者が着座される車室が車体構造体により規定されると共に、車室外にエンジンと該エンジンの排気音を低減させる消音器が配設された車両における車両用サウンドシステムであって、
エンジン音または排気音を、運転席に着座される運転者よりも前方位置において車室内に導入すると共に、その導入レベルを調整可能な第１導入手段と、
エンジン音または排気音を、運転席に着座される運転者よりも後方位置において車室内に導入すると共に、その導入レベルを調整可能な第２導入手段と、
車両の走行状態を検出する走行状態検出手段と、
前記走行状態検出手段で検出された走行状態に応じて、前記第１導入手段からの導入レベルと前記第２導入手段からの導入レベルとを変更する導入レベル制御手段と、
を備えているようにしてある。
【０００８】
上記解決手法によれば、車室内に積極的にエンジン音又は排気音を導入することから、運転席乗員は、エンジン音または排気音に基づいて車両状態を的確に把握して、スポーツ走行を行う上で好ましいものとなり、また安全確保の上でも好ましいものとなる。また、エンジン音又は排気音が前後方向に隔置された状態で車室内に導入されることから、運転席乗員は、エンジン音又は排気音をその音像位置から容易に識別して、上記の効果をより十分に得ることができる。さらに、車両の走行状態に応じてエンジン音または排気音が聞こえてくる位置を前後方向に変化させて、車室内の運転席乗員にとってエンジン音あるいは排気音を車両の走行状態に応じて好適に聞くことができる。
【０００９】
上記解決手法を前提とした好ましい態様は、次のとおりである。すなわち、
前記走行状態検出手段が、エンジン回転数を検出するものとされ、
前記導入レベル制御手段は、エンジン回転数の上昇に応じて、車室内で聞こえるエンジン音または排気音の位置が前方から後方へと移行されるように、前記第１導入手段からの導入レベルと前記第２導入手段からの導入レベルとを制御する、
ようにしてある（請求項２対応）。この場合、エンジン回転数はスポーティな走行度合いを示す指標となることから、スポーティな走行度合が高まるほど、エンジン音または排気音が後方へ移動した位置から聞こえるようにすること、つまり音を置き去りにするような爽快感を感じさせる上で好ましいものとなる。
【００１０】
エンジン回転数が第１所定回転数よりも低い回転数域において、前記導入レベル制御手段は、前記第１導入手段からの導入レベルが大きくなるように、かつ前記第２導入手段からの導入レベルが小さくなるように制御し、
エンジン回転数が該第１所定回転数よりも高回転に設定された第２所定回転数よりも大きい高回転域において、前記導入レベル制御手段は、前記第１導入手段からの導入レベルが小さくなるように、かつ前記第２導入手段からの導入レベルが大きくなるように制御する、
ようにしてある（請求項３対応）。この場合、請求項２に対応した効果を得つつ、低回転でおとなしい運転を行っているときは、後方からの音が押さえられることから、いたずらに運転席乗員を刺激してしまうことが抑制される。
【００１１】
エンジン音または排気音を、前記第１導入手段による導入位置と前記第２導入手段による導入位置との間において車室内に導入する共に、その導入レベルを調整可能な第３導入手段をさらに備え、
前記導入レベル制御手段が、前記第３導入手段をも制御する、
ようにしてある（請求項４対応）。この場合、前後方向中間位置からもエンジン音または排気音を導入させて、前述した効果をより一層効果的に得る上で好ましいものとなる。
【００１２】
前記走行状態検出手段が、エンジン回転数を検出するものとされ、
前記導入レベル制御手段は、エンジン回転数の上昇に応じて、車室内で聞こえるエンジン音または排気音の位置が前方から後方へと移行されるように、前記第１導入手段からの導入レベルと前記第２導入手段からの導入レベルと前記第３導入手段からの導入レベルとを制御する、
ようにしてある（請求項５対応）。この場合、エンジン音または排気音が、エンジン回転数の上昇に応じて後方へと移動する感覚をより滑らかに得ることができる。
【００１３】
エンジン回転数が第１所定回転数よりも低い回転数域において、前記導入レベル制御手段は、前記第１導入手段からの導入レベルが大きくなるように、かつ前記第２導入手段からの導入レベルおよび前記第３導入手段からの導入レベルがそれぞれ小さくなるように制御し、
エンジン回転数が該第１所定回転数よりも高回転に設定された第２所定回転数よりも大きい高回転域において、前記導入レベル制御手段は、前記第１導入手段からの導入レベルおよび前記第３導入手段からの導入レベルがそれぞれ小さくなるように、かつ前記第２導入手段からの導入レベルが大きくなるように制御し、
エンジン回転数が該第１所定回転数と前記第２所定回転数との間となる中回転域において、前記導入レベル制御手段は、前記第１導入手段からの導入レベルおよび前記第２導入手段からの導入レベルがそれぞれ小さくなるように、かつ前記第３導入手段からの導入レベルが大きくなるように制御する、
ようにしてある（請求項６対応）。この場合、エンジン回転数の上昇に応じて、エンジン音または排気音が聞こえてくる位置を後方へと滑らかに移動させることができる。
【００１４】
前記第１導入手段からはエンジン音が導入され、
前記第２導入手段からは排気音が導入される、
ようにしてある（請求項７対応）。この場合、エンジン音および排気音を共に車室内に導入して、この両方の音に基づいて運転席乗員は車両状態をより的確に把握することができる。また、車両においては、車室前方にエンジンが配設されてエンジン音が前方から聞こえてくる一方、車室後方に消音器が配設されて後方から排気音が聞こえてくるのが一般的なことから、エンジンや消音器の配設位置を一般的な車両とは異なる設定を採択した場合でも、聞こえてくるエンジン音位置や排気音位置を、広く普及している形式の車両の場合と同じような設定とすることができる。
【００１５】
車室前方に前記エンジンが配設され、
車室後方に前記消音器が配設されている、
ようにしてある（請求項８対応）。この場合、エンジンおよび消音器の配設位置が一般的な形態とされている車両に対応して、請求項７に対応した効果をより一層十分に発揮させる上で好ましいものとなる。
【００１６】
前記第３導入手段は、フロアパネルに形成されたトンネル部内の空間を経由して伝達されるエンジン音または排気音を車室内に導入する、ようにしてある（請求項９対応）。この場合、トンネル部内の空間を、エンジン音または排気音の伝達空間として有効利用することができる。また、トンネル部は前後方向に長いことから、第３導入手段からの導入位置の前後方向での選択の自由度が高くなり、車室内に導入される音のうちエンジン音と排気音との割合（レベル割合）を所望のものにすることも可能となる。
【発明の効果】
【００１７】
本発明によれば、車室内の運転席乗員に対して、エンジン音あるいは排気音を車両の走行状態に応じて好適に聞かせることができる。
【図面の簡単な説明】
【００１８】
【図１】本発明が適用された車両の一例を示す平面図。
【図２】図１に示す車両の側面一部断面図。
【図３】ダッシュパネルに形成されたエンジン音透過部分の構造を示す分解斜視図。
【図４】車室前部の状態を車室後部から前方を見た正面図。
【図５】エンジン音をトンネル部内の空間を介して車室内に導入させる部分を示す要部断面図。
【図６】本発明の制御系統例をブロック図的に示す図。
【図７】第１導入手段からの導入レベルを示す特性図。
【図８】第２導入手段からの導入レベルを示す特性図。
【図９】第３導入手段からの導入レベルを示す特性図。
【発明を実施するための形態】
【００１９】
図１、図２において、車両Ｖは、実施形態では、２ドアのオープンカーとされている。図中、１はダッシュパネルで、エンジンルーム２と車室３とを仕切っている。４は、エンジンルーム２を上方から覆うボンネット、５Ｒ、５Ｌは、左右一対のサイドドア、６はトランクリッド、７はルーフである。また、８は運転席、９は助手席、１０はステアリングハンドルである。さらに、１１はインストルメントパネル、１２はフロントウインドガラスである。
【００２０】
図２に示すように、ルーフ７は、リアウインドガラス７ａを有しており、図２では、ルーフ７が閉状態のとき、つまりルーフ７によって車室３が上方から覆われた状態が示される。また、図１では、ルーフ７が閉じられた状態を示すが、ルーフ７を透視した状態となっており、またフロントウインドガラス１２の上端部を一部カットした状態が示される。
【００２１】
車室３の床面を構成するフロアパネル２０は、車幅方向中央部において前後方向に延びるトンネル部２１を有し、トンネル部２１の上面はトリム材２２により覆われている。フロアパネル２０の後端部は、キックアップ部２３を経てリアパネル２４へと連なっている。
【００２２】
ダッシュパネル１の前方に構成されたエンジンルーム２には、エンジン３０が配設されている。エンジン３０は、実施形態では縦置きとされて、エンジン本体が符号３０Ａで示され、吸気系部材が符号３０Ｂで示され、排気系部材が符号３０Ｃで示される。エンジン３０（エンジン本体３０Ａ）の後部には、変速機３１が連結されている。
【００２３】
なお、エンジン３０には、エンジン本体３０Ａにより駆動されるオルタネータ、エアコン用コンプレッサ等々の補器類が装備されているが、これらは図示を略してある。エンジン音は、エンジン本体３０Ａが回転されたり燃焼されるときに発生される音の他、吸気音や排気音、補器類が駆動される音、変速機３１が変速されるときの音がミックスされた音となる。
【００２４】
車両Ｖの後部には、差動装置（デファレンシャルギア）４０が配設されている。この差動装置４０と、変速機３１（つまりエンジン３０）とが、プロペラシャフト４１によって連結されている。つまり、車両Ｖは、実施形態では後輪駆動車とされている。そして、変速機３１と差動装置４０とが、プロペラシャフト４１を取り巻くように配設された円環状のトルクチューブ４４によって連結されている（図５をも参照）。
【００２５】
エンジン３０から延びる排気通路４２が後方へ延びている。この排気通路４２は、車両後部の下方に配設されたマフラー４３に接続されている。マフラー４３は、後方へ開口された左右一対の排気パイプ４３Ａが接続されている。排気ガスが、最終的に、排気パイプ４３Ａから外部（大気）へ排出される。
【００２６】
車室３内に対して、エンジン音、排気音が前後方向に間隔をあけて合計３箇所から導入されるようにしてある。実施形態では、エンジン音あるいは排気音について、運転席乗員にとって特定の位置から聞こえてくるように（特定の位置から音が導入されるように）、図２符号Ｔ１〜Ｔ３で示す位置に定位するようにしてある。
【００２７】
第１の位置Ｔ１は、フロントウインドガラス１２のうち、運転者の眼の位置と略同じ高さ位置で、車幅方向略中央部に位置するように設定されている。第２の位置Ｔ２は、車室３の後部で、具体的にはキックアップ部２３のうち車幅方向略中央部に設定してある（図１、図２参照）。第３の位置Ｔ３は、トンネル部２１部分に設定されて、運転席８の側方に設定されている。なお、定位位置Ｔ１、Ｔ２の領域は、図示したものに限らず、例えば、車幅方向や上下方向に拡大した領域でもよく、またＴ１の位置は、例えばフロントウインドガラス１２の領域内において、車両状態、例えばステアリング舵角等に応じて可変としてもよい。
【００２８】
次に、エンジン音を第１の位置Ｔ１に定位する具体構造例について説明する。まず、ダッシュパネル１のうち、エンジン３０（エンジン本体３０Ａ）が位置する高さおよび車幅方向位置に、図３に示すように開口部５０が形成される。この開口部５０は、エンジンルーム２とインストルメントパネル１１（の空間）内とを連通している。そして、開口部５０は、空気を遮断する膜部材５１によって施蓋されている。つまり、エンジンルーム２からのエンジン音が、膜部材５１を震動させてインストルメントパネル１１内へと効果的に伝達される。
【００２９】
インストルメントパネル１１には、その上面に開口部１１ａが形成されている（図２参照）。インストルメントパネル１１内に伝達されたエンジン音は、開口部１１ａを通過してフロントウインドガラス１２に向けて伝達されることにより、このフロントウインドガラス１２で反射されて、運転席８に着座している運転者へと伝達されることになる。つまり、第１の位置Ｔ１は、エンジン音がフロントウインドガラス１２で反射される部位とされる。エンジンルーム２内の空気や液体は、膜部材５１で遮断されて、車室３へと流れこむことが防止される。
【００３０】
図３に示すように、膜部材５１により施蓋された開口部５０には、弁部材５２が取付けられている。弁部材５２は、開口部５０に臨む短い筒部材５２Ａと、筒部材５２Ａを開閉する電磁式の弁体５２Ｂとを有する。弁部材５２を開位置とすることにより、開口部５０からのエンジン音が、筒部材５２Ａを通ってインストルメントパネル１１内に伝達される（第１の位置Ｔ１での定位実現）。弁部材５２の開度調整を行うことにより、第１の位置Ｔ１でのエンジン音の導入レベルが変更される。
【００３１】
第２の位置Ｔ２（の開口部）には弁部材４５（５２に対応した弁部材）を配設した構造となっており、実質的に図３に示すのと同様の構造とされているので、その重複した説明は省略する。そして、第２の位置Ｔ２（の開口部）は、車室内の換気用となる外部に開口されたエキストラチャンバ８０に対して、ダクト８１を介して接続されている（図１、図２参照）。エキストラチャンバ８０は、排気パイプ３０Ａの近くに形成されていることから、排気音が効果的に第２の位置Ｔ２へと伝達することができる。弁部材４５の開度調整によって、第２の位置Ｔ２からの排気音の導入レベルが変更される。
【００３２】
第３の位置Ｔ３からのエンジン音の導入のため、トンネル部５５の前端部上面に形成された開口部に、弁部材５５が配設される（図２参照）。弁部材５５は、前述した図３に示す弁部材５２と実質的に同様の構成とされている。すなわち、トンネル部２１に形成された開口部が空気を遮断する膜部材により施蓋されて、ここに弁部材５５が取付られる。
【００３３】
また、トルクチューブ４４の上面には、弁部材５５付近の位置において、開口部４４ａが形成されている。これにより、エンジンルーム２からのエンジン音（実際には、変速機３１での変速音や若干の排気音を含む）が、トルクチューブ４４内、開口部４４ａ、トンネル部２１内を経て、弁部材５５の位置に伝達される。このように、弁部材５５の部分には、エンジン音が十分に伝達されるような設定とされている。
【００３４】
トンネル部２１を覆うトリム材２２の前端部上面には、回動式の開閉部材５６が設けられている。この開閉部材５６は、図５に示すように、トリム材２２の上面の一部を実質的に構成する円弧状の板材により形成されて、その一部に開口部５６ａが形成されている。開閉部材５６は、図示略アクチュエータによって図５紙面直角方向に延びる軸線Ｚ回りに回動可能とされている。図５では、開口部５６ａが、運転席側に向けて斜め上方に向かう状態、つまり運転席乗員に向けて指向された状態となっている。なお、開閉部材５６は、その開口部５６ａが、運転席乗員側を向いた（指向された）状態と、上方を向いた状態との間で変更可能とされている。なお、開口部５６ｃを開閉する部材を別途設けることもでき、この場合、開口部５６ａの開口面積を段階的あるいは連続可変式に変更することもできる。なお、開閉部材５６の開口部５６ａが助手席側を向く状態を選択できるようにすることもできる。
【００３５】
図２、図５から明かなように、弁部材５５が開位置とされている状態では、開口部５６ａを運転席乗員に向けて指向させることにより、トンネル部２１内に伝達されたエンジン音が開口部５６ａを通して、運転席乗員に向けて指向されることになり、運転席乗員はより明確にエンジン音を認識することのできる状況となる。弁部材５５の開度を調整することにより、第３の位置Ｔ３からのエンジン音の導入レベルが変更される。
【００３６】
図６は、各位置Ｔ１〜Ｔ３からの導入レベルの制御を行うための制御系統例を示す。図中、Ｕはマイクロコンピュータを利用して構成されたコントローラである。コントローラＵには、走行状態を示すエンジン回転数を検出する回転数センサＳ１からの信号が入力される。また、コントローラＵは、各弁部材５２、４５、５５を制御する。
【００３７】
コントローラＵは、エンジン回転数に応じて、前方の弁部材５２を図７のような特性に従うように制御し、後方の弁部材４５を図８のような特性に従うように制御し、前後方向中間位置の弁部材５５を図９のような特性に従うように制御する。
【００３８】
図７〜図９において、制御しきい値用のエンジン回転数として、第１所定回転数（実施形態では２０００ｒｐｍ）と、これよりも高回転数となる第２所定回転数（実施形態ではあ５０００ｒｐｍ）が設定されている。なお、エンジン３０の最高許容回転数は７５００ｒｐｍ程度とされている。
【００３９】
もっとも前方の位置Ｔ１用の弁部材５２は、図７にように、エンジン回転数が第１所定回転数よりも小さい低回転域では、導入レベルを大きくするために全開あるいはほぼ全開とされる一方、第２所定回転数よりも大きい高回転域では、導入レベルを小さくするために全閉あるいはほぼ全閉とされる。そして、第１所定回転数と第２所定回転数との中回転位置では、エンジン回転数が上昇するのに伴って徐々にに開度が小さくなるように設定されている。なお、弁部材５２の開度特性は、エンジン回転数の変化に応じて連続して滑らかに変化するように設定されているが、低回転域と中回転域と高回転域とで一気に開度が変更される段階式とすることもできる。
【００４０】
もっとも後方の位置Ｔ２用の弁部材４５は、図８にように、エンジン回転数が第１所定回転数よりも小さい低回転域では、導入レベルを小さくするために全閉あるいはほぼ全閉とされる一方、第２所定回転数よりも大きい高回転域では、導入レベルを大きくするために全開あるいはほぼ全開とされる。そして、第１所定回転数と第２所定回転数との中回転位置では、エンジン回転数が上昇するのに伴って徐々に開度が大きくなるように設定されている。なお、弁部材４５の開度特性は、エンジン回転数の変化に応じて連続して滑らかに変化するように設定されているが、低回転域と中回転域と高回転域とで一気に開度が変更される段階式とすることもできる。
【００４１】
前後方向中間位置となる位置Ｔ３用の弁部材５５は、図９にように、エンジン回転数が第１所定回転数よりも小さい低回転域および第２所定回転数よりも大きい高回転域では、導入レベルを小さくするために全閉あるいはほぼ全閉とされる一方、第１所定回転数と第２所定回転数との間の中回転域では、導入レベルを大きくするために全開あるいはほぼ全開とされる。そして、中回転域から低回転域あるいは高回転域へ移行するときは、かなり急激に開度が小さくされる。なお、弁部材５５の開度特性は、エンジン回転数の変化に応じて連続可変式に変化するように設定されているが、低回転域と中回転域と高回転域とで一気に開度が変更される段階式とすることもできる。
【００４２】
上述した弁部材５２、４５、５５の特性設定から、車室３内で運転席乗員にとってエンジン音、排気音がよく聞こえてくる位置が、エンジン回転数の上昇に応じて前方から後方へと徐々に移動する感覚を受けることになる。つまり、スポーツ走行のように、スポーティな運転を行っているときは、エンジン音、排気音がより後方から聞こえることから、音を置き去りにするような爽快感を感じることになる。逆に、低回転でおとなしい運転を行っているときは、エンジン音が前方から聞こえて、後方からの排気音が押さえられることから、いたずらに運転席乗員を刺激してしまうことが抑制される。
【００４３】
勿論、積極的にエンジン音、排気音を車室３内に導入することから、運転席乗員はエンジン音や排気音に基づいて車両状態を的確に把握して、スポーツ走行を楽しむ上で極めて好ましいものであり、また安全対策の上でも好ましいものとなる。上述したことは、車室３をルーフ７で覆ったときにより効果的となる。そして、エンジン音や排気音は、前後方向に隔置された状態で車室内へと導入されることから、運転席乗員は、特にエンジン音をその音像位置から容易に判断することができ、エンジン音（の変化）に応じて車両状態を的確に把握する上で極めて好適となる。
【００４４】
ここで、車両においては、エンジンが車室前方に配設される一方、マフラー４３が車室後方に配設されることが多い（一般的）。したがって、基本的に、エンジン音は前方から聞こえてくるようにかつ排気音が後方から聞こえてくるようにするのが、好ましいものであり、実施形態ではこのことを考慮したものとなっている。
【００４５】
以上実施形態について説明したが、本発明は、実施形態に限定されるものではなく、特許請求の範囲の記載された範囲において適宜の変更が可能であり、例えば次のようにすることもできる。
（１）第１の位置Ｔ１は、運転席乗員の前方であれば、適宜の位置を選択することができ、例えばインストルメントパネルの上面や後面、ダッシュパネルのうち運転席乗員の足下の直前方位置、フロントピラー部分等を選択することができる。同様に、第２位置Ｔ２、第３の位置Ｔ３も適宜選択できる。
（２）弁部材５２、４５、５５の開度調整を行うための走行状態を示すパラメータとしては、適宜選択でき、例えば車速やアクセル開度を選択することができる。この場合、図７〜図９に示す特性は、エンジン回転数の代わりに車速あるいはアクセル開度を用いればよい。
（３）エンジン３０が、運転席８の後方に配設される車両であってもよい（いわゆるＲＲ車やミッドシップ車）。また、変速機３１が、運転席８の後方に配設されたものであってもよい（作動装置４０部分に変速機３１が配設）。
（４）車室３内に導入させる音としては、実質的にエンジン音のみあるいは排気音のみとすることもできる。
（５）本発明は、オープンカーに限らず、セダン型やＳＵＶ型、４輪駆動車等、種々の形式の車両に適用できる。また、変速機３１が車両後部（差動装置４０の位置）に配設されたものであってもよく、プロペラシャフト４１を有しない前輪駆動車（いわゆるＦＦ車）やエンジン３０が車室後方に配設されたものであってもよい。勿論、本発明の目的は、明記されたものに限らず、実質的に好ましいあるいは利点として表現されたものを提供することをも暗黙的に含むものである。
【産業上の利用可能性】
【００４６】
本発明は、エンジン音または排気音を運転席乗員に対して好適に聞かせることができ、特にスポーツタイプの車両おいて好適となる。
【符号の説明】
【００４７】
Ｔ１：エンジン音の定位位置
Ｔ２：排気音の定位位置
Ｔ３：エンジン音の導入位置
Ｕ：コントローラ
Ｓ１：回転数センサ
１：ダッシュパネル
２：エンジンルーム
３：車室
５Ｌ、５Ｒ：サイドドア
８：運転席
９：助手席
１１：インストルメントパネル
１１ａ：開口部（エンジン音通過用）
１２：フロントウインドガラス
２０：フロアパネル
２１：トンネル部
２２：トリム材
２３：キックアップ部
３０：エンジン
３１：変速機
４０：差動装置
４１：プロペラシャフト
４２：排気通路
４３：マフラー
４３Ａ：排気パイプ
４４：トルクチューブ
４５：弁部材（第２導入部からの導入レベル変更用）
５０：開口部（エンジン音透過用）
５１：膜部材
５２：弁部材（第１導入部からの導入レベル変更用）
５５：弁部材（第３導入部からの導入レベル変更用）
５６：開閉部材
５６ａ：開口部
８０：エキストラチャンバ
８１：ダクト
【図１】
2018188093.tif 000003
【図２】
2018188093.tif 000004
【図３】
2018188093.tif 000005
【図４】
2018188093.tif 000006
【図５】
2018188093.tif 000007
【図６】
2018188093.tif 000008
【図７】
2018188093.tif 000009
【図８】
2018188093.tif 000010
【図９】
2018188093.tif 000011